(57)【特許請求の範囲】
【請求項１】
陳列されている商品を望ましい温度で維持するための冷蔵システムを有する外囲器のためのデジタル表示システムを有する蝶着扉であって、
透明な外側保護パネルと、
透明な内側保護パネルと、
前記外側保護パネルと前記内側保護パネルとの間に不活性ガスが充填された密閉空間を形成するために、前記外側保護パネル及び前記内側保護パネルの周囲を取り囲み、前記外側保護パネル及び前記内側保護パネルの外縁を密閉するフレームと、
前記フレームに固定された蝶番と、
前記外側保護パネルと前記内側保護パネルとの間の前記密閉空間に配置された半透明のデジタル映像表示装置と、
前記外側保護パネルと前記内側保護パネルとの間に配置され、前記半透明のデジタル映像表示装置に表示されたフルモーションビデオが前記外側保護パネルを通して目視され、かつ前記内側保護パネルの背後に配置された商品が前記半透明のデジタル映像表示装置を通して目視可能であるように、前記半透明のデジタル映像表示装置に作動的に接続される一体型メディアプレーヤと、
を組み合わせて備え、
前記外側保護パネル、前記内側保護パネル、前記フレーム、前記デジタル映像表示装置、および一体型メディアプレーヤは、自立式のパッケージとして前記蝶番の周りを移動するように構成されるデジタル表示システムを有する蝶着扉。
【請求項２】
前記透明な外側保護パネルと前記透明な内側保護パネルとはどちらもガラスを備える、請求項１に記載のデジタル表示システムを有する蝶着扉。
【請求項３】
前記半透明のデジタル映像表示装置はＬＣＤ表示装置を備える、請求項１に記載のデジタル表示システムを有する蝶着扉。
【請求項４】
前記半透明のデジタル映像表示装置は高解像度かつフルカラーのフルモーションビデオを表示する、請求項１に記載のデジタル表示システムを有する蝶着扉。
【請求項５】
前記自立式のパッケージは接続ケーブルを１本のみ有し、前記接続ケーブルは前記一体型メディアプレーヤに電力を供給するための電力ケーブルを備える、請求項１に記載のデジタル表示システムを有する蝶着扉。
【請求項６】
前記電力ケーブルは前記蝶番を貫通して延在する、請求項５に記載のデジタル表示システムを有する蝶着扉。
【請求項７】
前記フレームと前記外側保護パネルおよび前記内側保護パネルとは冷却庫扉を形成する、請求項１に記載のデジタル表示システムを有する蝶着扉。
【請求項８】
前記フレームと前記外側保護パネルおよび前記内側保護パネルとは冷凍庫扉を形成する、請求項１に記載のデジタル表示システムを有する蝶着扉。
【請求項９】
陳列されている商品を望ましい温度で維持するための冷蔵システムを有する外囲器のためのデジタル表示システムを有する蝶着扉であって、
透明な外側保護パネルと、
透明な内側保護パネルと、
前記外側保護パネルと前記内側保護パネルとの間に不活性ガスが充填された密閉空間を形成するために、前記外側保護パネル及び前記内側保護パネルの周囲を取り囲み、前記外側保護パネル及び前記内側保護パネルの外縁を密閉するフレームと、
前記フレームに固定された蝶番と、
前記外側保護パネルと前記内側保護パネルとの間の前記密閉空間に配置された半透明のデジタル映像表示装置と、
前記半透明の映像表示装置に固定され、光を反射する微粒子を内部に含むガラスパネルを含み、前記外側保護パネルと前記内側保護パネルとの間の前記密閉空間に配置される光ガイドと、
前記微粒子に当たって前記外側保護パネルを通って外に反射される光を前記ガラスパネル内に供給するための、前記ガラスパネルの端縁に隣接する光源と、
前記外側保護パネルと前記内側保護パネルとの間に配置され、前記半透明のデジタル映像表示装置に表示されたフルモーションビデオが前記外側保護パネルを通して目視され、かつ前記内側保護パネルの背後に配置された商品が前記半透明のデジタル映像表示装置を通して目視可能であるように、前記半透明のデジタル映像表示装置に作動的に接続されるメディアプレーヤと、
を組み合わせて備え、
前記外側保護パネル、前記内側保護パネル、前記フレーム、前記デジタル映像表示装置、前記光源、および前記メディアプレーヤは、自立式のパッケージとして前記蝶番の周りを移動するように構成されるデジタル表示システムを有する蝶着扉。
【請求項１０】
前記透明な外側保護パネルと前記透明な内側保護パネルとはどちらもガラスを備える、請求項９に記載のデジタル表示システムを有する蝶着扉。
【請求項１１】
前記半透明のデジタル映像表示装置はＬＣＤ表示装置を備える、請求項９に記載のデジタル表示システムを有する蝶着扉。
【請求項１２】
前記半透明のデジタル映像表示装置は高解像度かつフルカラーのフルモーションビデオを表示する、請求項９に記載のデジタル表示システムを有する蝶着扉。
【請求項１３】
自立式のパッケージは接続ケーブルを１本のみ有し、前記接続ケーブルは一体型メディアプレーヤに電力を供給するための電力ケーブルを備える、請求項９に記載のデジタル表示システムを有する蝶着扉。
【請求項１４】
前記電力ケーブルは前記蝶番を貫通して延在する、請求項１３に記載のデジタル表示システムを有する蝶着扉。
【請求項１５】
前記フレームと前記外側保護パネルおよび前記内側保護パネルとは冷却庫扉を形成する、請求項９に記載のデジタル表示システムを有する蝶着扉。
【請求項１６】
前記フレームと前記外側保護パネルおよび前記内側保護パネルとは冷凍庫扉を形成する、請求項９に記載のデジタル表示システムを有する蝶着扉。
【請求項１７】
前記光源は少なくとも１つのＬＥＤを備える、請求項９に記載のデジタル表示システムを有する蝶着扉。
【請求項１８】
前記ガラスパネルが接着剤によって前記デジタル映像表示装置に固定される、請求項９に記載のデジタル表示システムを有する蝶着扉。
【請求項１９】
前記光ガイドは、見た目が一様な照明を前記デジタル映像表示装置と前記外側保護パネルとを通してもたらす、請求項９に記載のデジタル表示システムを有する蝶着扉。
【請求項２０】
陳列されている商品を望ましい温度で維持するための冷蔵システムを有する外囲器のためのデジタル表示システムを有する蝶着扉であって、
透明な外側保護パネルと、
透明な内側保護パネルと、
前記外側保護パネルと前記内側保護パネルとの間に不活性ガスが充填された密閉空間を形成するために、前記外側保護パネル及び前記内側保護パネルの周囲を取り囲み、前記外側保護パネル及び前記内側保護パネルの外縁を密閉するフレームと、
前記フレームに固定された蝶番と、
前記外側保護パネルと前記内側保護パネルとの間の前記密閉空間に配置された半透明のＬＣＤ映像表示装置と、
前記半透明のＬＣＤ映像表示装置に接着され、光を反射する微粒子を内部に含むガラスパネルを含み、前記外側保護パネルと前記内側保護パネルとの間の前記密閉空間に配置される光ガイドと、
見た目が一様な照明を前記ＬＣＤ映像表示装置と前記外側保護パネルとを通してもたらすために、前記微粒子に当たって前記外側保護パネルを通って外に反射される光を前記ガラスパネル内に供給するために前記ガラスパネルに隣接して、前記外側保護パネルと前記内側保護パネルとの間の前記密閉空間に配置される少なくとも１つのＬＥＤと、
前記外側保護パネルと前記内側保護パネルとの間に配置され、前記半透明のＬＣＤ映像表示装置に表示された高解像度かつカラーのフルモーションビデオが前記外側保護パネルを通して目視され、かつ前記内側保護パネルの背後に配置された商品が前記半透明のＬＣＤ映像表示装置を通して目視可能であるように、前記半透明のＬＣＤ映像表示装置に作動的に接続されるメディアプレーヤと、
を組み合わせて備え、
前記外側保護パネル、前記内側保護パネル、前記フレーム、前記ＬＣＤ映像表示装置、前記光ガイド、前記ＬＥＤ、および前記メディアプレーヤは、自立式のパッケージとして前記蝶番の周りを移動するように構成される、デジタル表示システムを有する蝶着扉。
【発明の詳細な説明】
【技術分野】
【０００１】
関連出願の相互参照
本出願は、２０１１年３月２日に出願された米国仮特許出願第６１／４４８，４５５号の優先権を主張し、その開示内容の全体を参照により本願明細書に明示的に組み込むものとする。
【０００２】
連邦政府による資金提供を受けた研究の記載
該当せず
【０００３】
共同研究契約の当事者
該当せず
【０００４】
付属者の参照
該当せず
【０００５】
本発明の分野は、全般的にはデジタル表示システムに関し、特に、ガラスパッケージを有する半透明のデジタル表示システムに関する。
【背景技術】
【０００６】
今日、消費者相手の小売環境においては、消費者の「購入時点」または「製品選択時点」に消費者の眼前にメッセージを表示したいという要望がブランド側および小売業者側にある。小売、銀行業務、クイックサービスレストラン（ＱＳＲ：ｑｕｉｃｋ  ｓｅｒｖｉｃｅ  ｒｅｓｔａｕｒａｎｔ）、接待業など（および家庭外公告全般）においては、このメッセージ伝達は歴史的には紙ベースのサイネージであったが、近年、消費者の注意を引くために、ひいては消費者に消費者の眼前にあるメッセージまたは製品広報宣伝に気付かせるために、グラフィックス、動画、インタラクティブ性、およびより動的な視覚表示を用いることによって、より動的なメッセージを消費者に送るためにデジタルサイネージ（プラズマまたはＬＣＤ表示装置と、メディアプレーヤと、ネットワーク接続とで構成）へと発展してきた。
【０００７】
この方法は効果があった。ただし、ＬＣＤパネルおよびそのハードウェアの本質により、小売現場および家庭外環境におけるデジタルサイネージの使用はＬＣＤパネルの機能方法によって制限される。第一に、ＬＣＤパネルはメッセージを消費者に提示するための視覚表示技術として設計されているが、ＬＣＤパネルが不透明であるため、ＬＣＤパネルの背後にある製品または物体が遮られる。従来のＬＣＤパネルは、パネルの背後にある何れの製品の眺めも遮り、「視線」の課題を小売環境内に引き起こすので、その効果的使用には限界がある。よって、改良されたデジタル表示システムが当該技術分野において必要とされている。
【発明の概要】
【課題を解決するための手段】
【０００８】
上記の従来技術の欠点のうちの少なくとも１つを克服するデジタル表示システムおよび方法が開示される。透明な外側保護パネルと、透明な内側保護パネルと、外側および内側保護パネルの間に配置された半透明のデジタル映像表示装置とを組み合わせて備えるデジタル表示システムが開示される。半透明のデジタル映像表示装置に表示されたフルモーションビデオが外側保護パネルを通して目視され、かつ内側保護パネルの背後に配置された商品が半透明のデジタル映像表示装置を通して目視可能であるように、一体型メディアプレーヤが半透明のデジタル映像表示装置に作動的に接続される。
【０００９】
透明な外側保護パネルと、透明な内側保護パネルと、外側および内側保護パネルの間に配置された半透明のデジタル映像表示装置と、半透明の映像表示装置に固定されたガラスパネルを含む光ガイドとを組み合わせて備えたデジタル表示システムがさらに開示される。ガラスパネルは、光を反射するための微粒子をその内部に含む。微粒子に当たって外側保護パネルを通って外に反射される光をガラスパネル内に供給するための光源がガラスパネルの端縁に隣接する。半透明のデジタル映像表示装置に表示されたフルモーションビデオが外側保護パネルを通して目視され、かつ内側保護パネルの背後に配置された商品が半透明のデジタル映像表示装置を通して目視可能であるように、メディアプレーヤが半透明のデジタル映像表示装置に作動的に接続される。
【００１０】
透明な外側保護パネルと、透明な内側保護パネルと、外側および内側保護パネルの間に配置された半透明のＬＣＤ映像表示装置と、半透明のＬＣＤ映像表示装置に接着されたガラスパネルを含む光ガイドとを組み合わせて備えるデジタル表示システムがさらに開示される。ガラスパネルは、光を反射するための微粒子をその内部に含む。見た目に一様な照明をＬＣＤ映像表示装置と外側保護パネルとを通してもたらすために、微粒子に当たって外側保護パネルを通って外に反射される光をガラスパネル内に供給するための少なくとも１つのＬＥＤが隣接して設けられる。半透明のＬＣＤ映像表示装置に表示された高解像度かつカラーのフルモーションビデオが外側保護パネルを通して目視され、かつ内側保護パネルの背後に配置された商品が半透明のＬＣＤ映像表示装置を通して目視可能であるように、メディアプレーヤが半透明のＬＣＤ映像表示装置に作動的に接続される。フレームが外側および内側保護パネルの周囲を取り囲み、半透明のＬＣＤ映像表示装置とメディアプレーヤとはフレームおよび外側および内側保護パネルの内側に密閉される。
【００１１】
前述の開示内容および好適な実施形態についての以下のより詳細な説明から、本発明はデジタル表示システムの技術分野および技術に有意な進歩をもたらすことが当業者には明らかであろう。この点に関して特に重要な点は、消費者の視線を遮らずに費用効率の良い方法で所望されるように消費者に注目させるシステムおよび方法のために本発明がもたらす将来性である。さまざまな好適な実施形態のさらなる特徴および利点は、以下の詳細な説明を読まれることによりより深く理解されるであろう。
【００１２】
本発明の上記および他の特徴は、以下の説明および図面を参照されると明らかになるであろう。
【図面の簡単な説明】
【００１３】
【図１】本発明による半透明のデジタル表示システムを組み込んだ二枚ガラス扉の縦型冷却庫の斜視図である。
【図２】一方のガラス扉が部分的に開かれている図１の縦型冷却庫の斜視図である。
【図３】半透明のデジタル表示システムの構成要素を示す図１および図２の冷却庫の一方の扉の概略図である。
【図４】着脱可能なメディアプレーヤの領域における図３の扉の部分を示す概略拡大図である。
【図５】線５−５に沿った図３の扉の概略断面図である。
【図６】図１および図２の冷却庫のデジタル表示システムの概略図である。
【図７】半透明のデジタル表示システムの代替実施形態を示す、図１８と同様の概略図である。
【図８】本発明の別の実施形態による半透明のデジタル表示システムを組み込んだ二枚ガラス扉の縦型冷凍庫の斜視図である。
【図９】本発明のさらに別の実施形態による半透明のデジタル表示システムを組み込んだ構造的ガラス窓の斜視図である。
【発明を実施するための形態】
【００１４】
添付の図面は必ずしも正確な縮尺ではなく、本発明の基本原理を例示するさまざまな好適な特徴の多少簡略化された表現を提示していることを理解されたい。本願明細書に開示されているようなデジタル表示システムの具体的な設計上の特徴、例えばさまざまな構成要素の具体的寸法および形状、は意図された特定用途および使用環境によってある程度決定される。図示されている各実施形態の特定の特徴は、可視化および明確な理解をもたらすために、他の特徴に比して拡大または変形されている。特に、細い、または薄い、特徴は、例えば明確化または説明のために、太く、または厚く、されていることもある。方向および位置へのあらゆる言及は、特に明記されていない限り、図面に示されているデジタル表示システムの向きを指している。
【００１５】
本願明細書に開示されている改良されたデジタル表示システムおよび方法については多くの使用方法および設計変形例が可能であることは当業者、すなわちこの技術分野の知識または経験のある者、には明らかであろう。さまざまな代替実施形態および好適な実施形態についての以下の詳細な説明は、ガラス製陳列器および構造的ガラスの具体的用途に関する本発明の一般的原理を説明するものである。他の用途に適した他の実施形態は、この開示を読まれた当業者には明らかであろう。
【００１６】
図１及び図２は、本発明による半透明のデジタル表示システム１２を有する二枚ガラス扉の縦型冷却庫または冷蔵庫１０を示す。図示されている冷却庫１０は、陳列されている製品を望ましい温度に維持するために適した冷蔵システムによって冷却される内部空間１４を有する。図示されている内部空間１４は、製品１８をその上に保持するための棚を複数備えている。図示されている内部空間１４は、内部空間１４の照明に適した光源をさらに備えている。図示されている冷却庫１０は、本発明による半透明のデジタル表示システム１２を１つずつ備えた２つの蝶着扉２０を有する。あるいは、冷却庫１０の扉２０の数はこれより少なくても多くてもよく、および／または扉２０の総数より少ない数の扉に半透明のデジタル表示システム１２を設けることも可能であることに注目されたい。冷却庫１０が複数の半透明のデジタル表示システム１２を有する場合、および／または冷却庫１０が複数存在する場合は、半透明のデジタル表示システム１２を互いに独立させることも、または消費者に「隊列」体験をもたらすために互いに連携させることもできる。複数の冷却庫扉２０が連携して１つのデジタル画像を５枚、１０枚、または５０枚もの扉２０にわたって表示し、消費者に１つの扉２０で検索させ、別の扉２０で製品をハイライトすることによって、以下に詳細に説明するような大画面のインタラクティブ型コンシューマメディアを複数の扉２０によって提供することができる。
【００１７】
図示されている冷却庫１０は、冷却された内部空間１４内の棚１６に配置されたビールの形態の製品または商品１８を有する。さらに、ビールの動画広告が半透明のデジタル表示システム１２に表示されるので、消費者は広告を見ると共に、半透明のデジタル表示システム１２上の広告を通して扉２０の背後の冷却庫１０内の棚１６にある製品１８を見ることができる。図示されているデジタル表示システム１２は、フルモーションビデオを表示できるほか、静止画像、静止画像のスライドショー、またはこれらの如何なる組み合わせでも表示可能である。消費者をさらに引き付けるために、図示されている半透明のデジタル表示システム１２は、販売促進用クーポン、製品の映像、ソーシャルメディア上のやり取りのための二次元ＱＲなどを表示できる。
【００１８】
電源２２との電気通信と中央管理サーバ２４との無線によるデータ通信だけで完全に機能できる完全に自立式のパッケージを形成するために、図示されているデジタル表示システム１２は、図３〜図６に示されているように、冷却庫の扉２０に組み込まれる。図示されている半透明のデジタル表示システム１２は、透明な外側保護パネルまたはシート２６と、透明な内側保護パネルまたはシート２８と、外側および内側保護パネル２６、２８の間に配置された半透明のデジタル映像表示装置３０と、半透明のデジタル映像表示装置３０に作動的に接続される一体型メディアプレーヤ３２とを組み合わせて備え、半透明のデジタル映像表示装置３０に表示された高解像度かつフルカラーのフルモーションビデオが外側保護パネル２６を通して目視され、さらに内側保護パネル２８の背後に配置された商品が半透明のデジタル映像表示装置３０を通して目視可能であるようになっている。
【００１９】
外側および内側保護パネル２６、２８はガラスを備えることが好ましいが、他の何れか適した材料を代わりに利用することもできる。図示されている冷却庫扉２０は、単一の外側保護パネル２６と単一の内側保護層２８とを含むが、代わりに複数の外側保護パネル２６を存在させることもでき、および／または代わりに複数の内側保護パネル２８を存在させることもできることに注目されたい。図示されている内側および外側保護パネル２６、２８は、その間に空間３４を形成するために互いに離隔され、フレーム３６が外側および内側保護パネル２６、２８の周囲を取り囲んでいる。フレーム３６は、保護パネル２６、２８の外縁を取り囲み、保護パネル２６、２８間の間隙３４を閉じて密封する。フレーム３６は金属で形成されることが好ましいが、代わりに他の何れか適した材料で形成することもできる。半透明のデジタル映像表示装置３０とこれに付属の電子機器（メディアプレーヤ３２など）は、後で詳細に説明するように、内側および外側保護パネル２６、２８の間の空間または間隙３４に配置される。保護パネル２６、２８の間の間隙３４には、不活性ガス、例えばアルゴンなど、が充填されることが好ましい。図示されている冷却庫扉２０は、適した蝶番３８を一方の側に、および取っ手４０を反対側にさらに備えているが、代わりに冷却庫扉２０を他の何れか適した構成にすることも可能であることに注目されたい。
【００２０】
図示されている半透明のデジタル映像表示装置３０はＬＣＤ映像表示装置またはパネルであるが、代わりに他の何れか適した種類のデジタル映像表示装置を利用することもできる。半透明のＬＣＤ映像表示装置は、伝統的なＬＣＤバックライトの代わりに、液晶光学フィルムを含むことができる。半透明のデジタル映像表示装置３０は、半透明のデジタル映像表示装置３０の背後に配置された製品または商品１８を半透明のデジタル映像表示装置３０を通して見ることができるように、表示装置３０に電源が投入されると反対側まで見通せるという点でシースルーである。適した半透明のＬＣＤ映像パネルは、サムスン（Ｓａｍｓｕｎｇ）社およびＬＧエレクトロニクス（ＬＧ  Ｅｌｅｃｔｒｏｎｉｃｓ）社から入手可能である。図示されている冷却庫扉２０は、保護パネルより小型の単一の半透明縦長矩形ＬＣＤ映像パネルを有するが、複数の半透明ＬＣＤ映像パネルを代わりに使用することも、他の適した形状、サイズ、および向きの半透明ＬＣＤ映像パネルを代わりに使用することも、および／または半透明ＬＣＤ映像パネルをフレーム３６全体に延在させることもできることに注目されたい。
【００２１】
図示されている半透明のデジタル映像表示装置３０は、外側および内側保護パネル２６、２８の間の密閉空間３４に配置される。図示されている半透明のデジタル映像表示装置３０は、半透明のデジタル映像表示装置３０を空間３４内に位置付けて支持するために、フレーム３６から延在して半透明のデジタル映像表示装置３０の４辺に配置されたスペーサ４２によって空間３４内に支持される。なお、半透明のデジタル映像表示装置３０は、代わりに他の何れか適した方法でも支持可能であることに注目されたい。図示されている扉２０は、半透明のデジタル映像表示装置３０の周囲の保護パネル２６、２８を通して内部空間３４が見られないように、保護パネル２６、２８の内側に配置された遮蔽体４４を備えている。なお、半透明のデジタル映像表示装置３０がフレーム３６まで延在する場合は、遮蔽体４４は不要であることに注目されたい。また、遮蔽体４４をスペーサ４２に一体化すること、および／またはスペーサ４２によって形成すること、も可能であることに注目されたい。外側および内側保護パネル２６、２８の間の密閉空間３４には、半透明のデジタル映像表示装置３０に作動的に接続される表示パネルの電力および信号制御盤４６がさらに配置される。
【００２２】
図示されているメディアプレーヤ３２は、外側および内側保護パネル２６、２８の間の密閉空間３４に配置され、一体化されたメモリと一体化された無線通信システムとを有する。メモリはフラッシュまたはソリッドステート式の記憶装置にすることができ、通信システムは無線アンテナが埋め込まれた無線装置（例えば、８０２．１１またはセルラー３Ｇ／４Ｇ）とすることができる。ただし、他の何れか適したメモリ、および／または通信システム、を代わりに利用可能であることに注目されたい。例えば、無線接続の代わりに有線接続の使用も可能である。メディアプレーヤ３２は、（例えばＩｎｔｅｌ  ＡｔｏｍまたはＡＲＭベースのプロセッサによって駆動される）エンベデッドストレージ付きのシングルボードコンピュータのメディア・プレーヤ（Ｍｅｄｉａ  Ｐｌａｙｅｒ）ハードウェアを含むことができる。オペレーティングシステムソフトウェアがメディアプレーヤ３２上に設けられる。このオペレーティングシステムソフトウェアは、例えばマイクロソフト・ウインドウズ（Ｍｉｃｒｏｓｏｆｔ  Ｗｉｎｄｏｗｓ（登録商標））またはリナックス（登録商標）（Ｌｉｎｕｘ（登録商標））などの標準的なオペレーティングシステムとすることができる。メディアファイルの受け取り、メディアファイルの再生、および再生履歴を将来監査するための再生情報の記録を行うためのアプリケーションソフトウェアもメディアプレーヤ３２上に設けられる。アプリケーションソフトウェアは、例えば、米国オハイオ州デイトンのストラタキャッシュ社（ＳＴＲＡＴＡＣＡＣＨＥ，Ｉｎｃ．）から入手可能なアクティビア・フォー・メディア（ＡｃｔｉＶｉａ  ｆｏｒ  Ｍｅｄｉａ）などの標準的なメディアプレーヤソフトウェアとすることができる。図示されているメディアプレーヤ３２は、ケーブル４８によって電力および信号制御盤４６に接続される。ケーブル４８は、例えば、ＨＤＭＩ（登録商標）またはＬＶＤＳケーブルなど、何れか適した標準的なケーブルとすることができる。
【００２３】
図示されているデジタル表示システム１２は、外側および内側保護パネル２６、２８の間の密閉空間３４に配置されたＤＣ電力バス５０をさらに備える。ＤＣ電力バス５０は、半透明のデジタル映像表示装置３０の電力および信号制御盤４６およびメディアプレーヤ３２の両方に継続的に電力を供給する。ＤＣ電力バス５０は、ケーブル５２、５４によって電力および信号制御盤４６およびメディアプレーヤ３２に電気的に接続される。ケーブル５２、５４は何れか適した標準的な電力ケーブルとすることができる。ＤＣ電力バス５０は、何れか適した方法で電源２２から受電するようになっている。図示されているＤＣ電力バス５０は、扉の蝶番３８を貫通して延在するケーブル５６を介して電源２２から受電するが、代わりに他の何れか適した方法を利用することもできる。
【００２４】
図４に最も良く示されているように、図示されているメディアプレーヤ３２は、容易に使用可能であるように、スロットを有する基部または受け部５８と、このスロットに挿抜可能な着脱可能部６０とを備える。半透明のデジタル映像表示装置３０の電力および信号制御盤４６とＤＣ電力バス５０とはそれぞれ基部５８に固定ケーブル接続され、全ての電子機器（メモリ、無線装置、その他）は着脱可能部６０の内部に配置される。図示されているフレーム３６は、着脱可能なメディアプレーヤ６０へのアクセスを可能にするために、取り外し可能な扉６２を備える。なお、着脱可能なメディアプレーヤ６０へのアクセスが扉２０の密閉された内部空間３４に悪影響を及ぼさないように、基部５８はフレーム３６に適切に固定されて封止されることに注目されたい。この「スロット付き」メディアプレーヤ構造により、スロット付き「受け部」インタフェース５８から半透明のデジタル映像表示装置３０の電力および信号制御盤４６までの永久接続ケーブル４８を有する半透明のデジタル映像表示装置３０に接続された、または近接した、スロット内にメディアプレーヤ６０を滑り込ませることができる。この着脱可能性は、メディアプレーヤの使用および交換／アップグレードを容易にする。無線装置がメディアプレーヤ３２に組み込まれるので、イーサネット（登録商標）ケーブルなどの外部ケーブルをメディアプレーヤ３２に接続する必要がなくなり、無線装置の使用および交換／アップグレードも容易になる。
【００２５】
なお、図示されている冷却庫扉２０の形態の半透明の表示システム１２は完全に自立型のパッケージであることに注目されたい。外囲器に内蔵されているインテリジェントメディアプレーヤ３２は、メディアプレーヤ３２の自立を扉２０内で可能にするので、外部ケーブル、メディアプレーヤインタフェース、または密閉された扉２０内へのケーブル接続を必要とする他の装置を一切必要としない。他の複数の用途において、この自立型パッケージは、ネットワーク接続をもたらすための当該ユニットへの二次ケーブルの接続を不要にする。必要な接続は、電源２２への単一の接続だけである。
【００２６】
半透明のデジタル映像表示装置３０上の映像のための音響を提供することが望ましい場合は、図３および図６に最も良く示されているように、オーディオスピーカ６４を内部空間３４内に設けることができる。図示されているスピーカ６４は、扉２０の底部のフレーム３６に設けられている。図示されているスピーカ６４は、ケーブルによってメディアプレーヤ３２に接続されるが、他の何れか適した接続を代わりに設けることもできる。
【００２７】
半透明のデジタル映像表示装置３０とのタッチによるインタラクティブ性を提供することが望ましい場合は、図３および図６に最も良く示されているように、赤外線センサまたはタッチ検出システム６８を設けることができる。図示されている赤外線タッチ検出システム６８は、フレーム３６で囲まれた扉部分に組み込まれているが、他の何れか適した構成を代わりに利用することもできる。システム６８は、適したケーブル７０などによってメディアプレーヤ３２に作動的に接続される。センサまたはタッチ検出システム６８により、消費者はデジタル映像表示装置３０上で実行されているアプリケーションまたはコンテンツとのやり取りがタッチインタフェースを介して可能になる。タッチインタフェースシステム６８は、製品、レシピ、クーポン、または他の消費者誘惑物に対する検索機能を消費者に特定の扉上で実行させることができる。なお、他の何れか適したタッチインタフェースシステム６８、例えばタッチパッドまたはキーパッドなど、も代わりに利用可能であることに注目されたい。
【００２８】
半透明のデジタル映像表示装置３０との身振りによるインタラクティブ性を提供することが望ましい場合は、図３および図６に最も良く示されているように、消費者に面するカメラ７２を代わりに設けることができる。図示されているカメラ７２は、消費者を見下ろすように、扉２０の最上部のフレーム３６に配置されているが、他の何れか適した構成を代わりに利用することもできる。消費者に面するカメラ７２は、マイクロＵＳＢカメラなどとすることができ、適したケーブル７４などによってメディアプレーヤ３２に作動的に接続可能である。カメラインタフェースシステム７２により、消費者は身振り、例えば手を振るなど、によってデジタル映像表示装置３０上で実行されているアプリケーションまたはコンテンツとやり取りできる。身振り用カメラインタフェース７２は、製品、レシピ、クーポン、または他の消費者誘惑物に対する検索機能を特定の扉上で消費者に実行させることができる。視聴率測定ソフトウェアなどをメディアプレーヤ３２に実行させることができる。このソフトウェアは、例えば、米国オハイオ州デイトンのストラタキャッシュ社から入手可能なオーディエンス・メジャメント（Ａｕｄｉｅｎｃｅ  Ｍｅａｓｕｒｅｍｅｎｔ）とすることができる。なお、他の何れか適した身振り用インタフェース７２も代わりに利用可能であることに注目されたい。
【００２９】
複数の商品１８が半透明のデジタル映像表示装置３０の背後に存在する条件下では、これら商品１８が半透明のデジタル映像表示装置３０を通る光を遮断して商品１８を見え難くしうる。商品１８が暗色または黒色の場合は特にそうである。この問題は、光源７６と共に光ガイド７８を設けて製品１８と半透明のデジタル映像表示装置３０との間に光を供給することによって解決可能である。図７に最も良く示されているように、光源が設けられた透明な特殊ガラスパネルまたは板８０の形態の光ガイド７８に半透明のデジタル映像表示装置３０を固定することができる。光源は、ガラス板８０の少なくとも１つの端縁に光を供給するガラス板８０には、光をガラス板８０の両面から外に反射する微粒子８２が埋め込まれている。適したガラス板８０は、コーニング社（Ｃｏｒｎｉｎｇ  Ｉｎｃ．）から入手可能である。図示されている光源７６は、少なくとも１つのＬＥＤであるが、他の何れか適した光源７６を代わりに利用可能である。光源７６は、電力ケーブルによって電力用ＤＣバス５０に、および／またはメディアプレーヤ３２に、接続可能である。
【００３０】
半透明のデジタル映像表示装置３０は、クリーンルーム環境内の真空室において、適した化学的接合剤８４を用いて化学的に特殊ガラス板８０に接合されることが好ましい。この化学的接合に先立つガラス板８０の準備は、ガラス板８０の全ての端面を研磨することと、光をガラス板８０の中心に向かって内側に反射させるための反射フィルムまたはテープ８６をガラス板８０の各端縁に貼り付けることとを含む。半透明のデジタル映像表示装置３０がガラス板８０に接合されたら、端縁の光源７６を（被観察面の外側に）取り付ける。これにより、光がガラス板８０の中を運ばれ、微粒子８２に当たってガラスパネル８０の面から外側に反射されるので、光を外側保護パネル２６を通して観察者側に均一または一様に分散させることができる。したがって、追加の光が半透明のデジタル映像表示装置３０を通って導かれるので、消費者が追加の光の発生点を見ることなく、または半透明のデジタル映像表示装置３０の背後の製品１８への消費者の視線を遮ることなく、導かれた光が消費者の体験に加えられる。
【００３１】
図８は、本発明による半透明のデジタル表示システム１２を有する二枚ガラス扉の縦型冷凍庫８８を示す。図示されている縦型冷凍庫８８は、ガラスパネルを通して製品を目視できる他の種類の製品陳列器にも半透明の表示システム１２を組み込み可能であることを示す。図示されている冷凍庫８８は上記の冷却庫１２とほぼ同じであるが、上記の冷却庫１０のように冷却された製品１８ではなく、冷凍された製品１８用に冷凍庫８８が設計されている点が異なる。図示されている冷凍庫８８は、消費者が冷凍食品の広告を見ると共に、半透明のデジタル映像表示装置３０上の広告を通して扉２０の背後にある冷凍庫８８内の棚１６にある冷凍食品１８を見ることができるように、冷凍食品の広告を半透明のデジタル映像表示装置３０に表示可能であることを示している。
【００３２】
図９は、本発明による半透明のデジタル表示システム１２を有する構造的窓９０を示す。図示されている窓９０は、半透明のデジタル表示システム１２を窓、扉などの固定式の構造的ガラス組立体に組み込み可能であることを示している。図示されている窓９０は、上記の冷却庫扉２０とほぼ同じであるが、表示扉２０ではなく、固定式の表示窓９０になっている点が異なる。図示されている窓９０は、消費者が静止広告を見ると共に、半透明のデジタル映像表示装置３０上の広告を通して窓９０の背後に配置された消費財１８を見ることができるように、静止広告を半透明のデジタル映像表示装置３０に表示可能であることを示している。
【００３３】
上記の開示内容から、本発明による半透明のデジタル表示システム１２は、如何なるガラス製外囲器にも組み込み可能であること、例えば、冷凍庫、冷却庫、宝石ケース、酒類ケース、化粧品ケースのような製品陳列用ケース、または入口扉、窓、ドライブスルー窓、出納窓口などの構造的ガラスなどに組み込み可能であること、が明らかであろう。
【００３４】
上記の実施形態および変形例の何れの特徴または属性も、上記の実施形態および変形例の他の何れの特徴および属性とも所望どおりに組み合わせて使用可能である。
【００３５】
前述の開示内容および特定の好適な実施形態の詳細な説明から、本発明の真の範囲および精神から逸脱することなく、さまざまな変更、追加、および他の代替実施形態が可能であることは明らかであろう。記載の各実施形態は本発明の原理およびその実用的用途を最良に例示するために選択および説明されているので、当業者は、考えられる特定用途に適するように、本発明をさまざまな実施形態で、およびさまざまな変更と共に、使用可能である。このような変更および変形例の全ては、これらが公正、法的、かつ公平に認められる利益に従って解釈された場合に、添付の特許請求の範囲によって決定される本発明の範囲に含まれる。
【図１】
0005870121.tif 000002
【図２】
0005870121.tif 000003
【図３】
0005870121.tif 000004
【図４】
0005870121.tif 000005
【図５】
0005870121.tif 000006
【図６】
0005870121.tif 000007
【図７】
0005870121.tif 000008
【図８】
0005870121.tif 000009
【図９】
0005870121.tif 000010